(57)【要約】【課題】  フィルムを所定の方向に均一に延伸できる延伸機を提供する。【解決手段】  フィルム延伸機１は、フィルム６の搬送経路の両側に設けた２本のチェイン２と、チェイン２に設けた多数のベース３と、ベース３上にそれぞれ摺動可能に取り付けられて一端がフィルム６側に突出可能なアーム４と、アーム４のフィルム３側の一端にそれぞれ設けられてフィルム６の両側縁部を把持可能なクリップ５とからなり、クリップ５でフィルム６の両側縁部を把持して搬送しながら、アーム４をベース３上で摺動させてクリップ５をチェイン２側に後退させることでフィルム６を延伸する。【選択図】図１
2005349698.tif 000002
【特許請求の範囲】
【請求項１】
フィルムの搬送経路の両側に設けた２本のチェインと、
前記チェインに設けた多数のベースと、
前記ベース上にそれぞれ摺動可能に取り付けられて一端が前記フィルム側に突出可能なアームと、
前記アームの前記フィルム側の一端にそれぞれ設けられて前記フィルムの両側縁部を把持可能なクリップとからなり、
前記クリップで前記フィルムの両側縁部を把持して搬送しながら、前記アームを前記ベース上で摺動させて前記クリップを前記チェイン側に後退させることで前記フィルムを延伸することを特徴とするフィルム延伸機。
【請求項２】
前記アームの摺動方向は、前記チェインの進行方向に対して傾斜していることを特徴とする請求項１に記載のフィルム延伸機。
【請求項３】
前記アームの摺動方向は、一方の前記チェインの前記アームと他方の前記チェインの前記アームとが対向するように同じ方向であることを特徴とする請求項１または２に記載のフィルム延伸機。
【請求項４】
前記摺動方向に対向する前記アームの後退量が等しいことを特徴とする請求項３に記載のフィルム延伸機。
【請求項５】
前記アームに設けた位置決め部材をガイドで案内することで前記アームを突出／後退させることを特徴とする請求項１から４のいずれかに記載のフィルム延伸機。
【請求項６】
前記チェインを駆動するスプロケットが前記フィルムの面に垂直であることを特徴とする請求項１から５のいずれかに記載のフィルム延伸機。
【発明の詳細な説明】
【技術分野】
【０００１】
本発明は、フィルム延伸機に関する。
【背景技術】
【０００２】
連続的にフィルムの幅を広げる延伸機（テンター）が公知であり、フィルムに所望の偏光特性を付与するために、フィルムを所定の方向に引き延ばして幅を広げる延伸機が特許文献１に記載されている。
【特許文献１】特開２００３−２７６０８２号公報
【特許文献２】特開２００３−２０７６２５号公報
【０００３】
図７に示すように、特許文献１に記載されているような従来のフィルム延伸機は、フィルム２１の両側にフィルム２１と同じ面内を周回する２本のチェイン２２に設けた多数のクリップ２３でフィルム２１の両側縁部を把持して搬送する。２本のチェイン２２の距離は、フィルム２２の進行方向後方ほど大きく、フィルム２１は、クリップ２３によって両側を引き延ばされて連続的に延伸される。また、フィルム２１を斜め方向に延伸するために、従来のフィルム延伸機は、フィルム２１の搬送方向を屈曲させており、これにより両側のクリップ２３の相対位置をフィルム２１の搬送方向に対して異ならせることで、延伸方向Ｅを搬送方向に対して徐々に傾斜させている。
【０００４】
さらに特許文献２には、フィルム２１の搬送方向を屈曲させなくても、片側のチェイン２２を蛇行させることで、フィルム２１の両側のクリップ２３の相対位置をフィルム２１の搬送方向に対して異ならせることで、延伸方向Ｅを搬送方向に対して傾斜させる方法が記載されている。
【０００５】
しかしながら、従来のフィルム延伸機では、チェインを屈曲または蛇行させるのでフィルムを延伸する力が不均一であったり、延伸方向を徐々に変化させなければフィルムに無理な力が加わってフィルムのムラや破損の原因となるので、延伸方向が不安定であるという問題があった。
【発明の開示】
【発明が解決しようとする課題】
【０００６】
前記問題に鑑みて、本発明は、フィルムを所定の方向に均一に延伸できる延伸機を提供することを課題とする。
【課題を解決するための手段】
【０００７】
前記課題を解決するために、本発明によるフィルム延伸機は、フィルムの搬送経路の両側に設けた２本のチェインと、前記チェインに設けた多数のベースと、前記ベース上にそれぞれ摺動可能に取り付けられて一端が前記フィルム側に突出可能なアームと、前記アームの前記フィルム側の一端にそれぞれ設けられて前記フィルムの両側縁部を把持可能なクリップとからなり、前記クリップで前記フィルムの両側縁部を把持して搬送しながら、前記アームを前記ベース上で摺動させて前記クリップを前記チェイン側に後退させることで前記フィルムを延伸するものとする。
【０００８】
この構成によれば、前記クリップでフィルムを把持して搬送しながら、前記アームが前記ベースに対して摺動して前記クリップを引き寄せることでフィルムを前記摺動方向に延伸することができる。また、前記チェインは、一定の速度で進行するので、フィルムの搬送速度が一定であり、フィルムを蛇行させない。このため、フィルムを安定して延伸することができる。
【０００９】
また、本発明のフィルム延伸機は、前記アームの摺動方向が、前記チェインの進行方向に対して傾斜していてもよい。
【００１０】
この構成によれば、フィルムを前記摺動方向に延伸するので、フィルムを搬送方向に対して斜め方向に延伸することができる。
【００１１】
また、本発明のフィルム延伸機において、前記アームの摺動方向は、一方の前記チェインの前記アームと他方の前記チェインの前記アームとが対向するように同じ方向であってもよい。
【００１２】
この構成によれば、フィルムの両側を正反対の方向に延伸できるので、フィルムを正確に同じ方向に延伸できる。
【００１３】
また、本発明のフィルム延伸機は、前記摺動方向に対抗し合う前記アームの後退量が等しくてもよい。
【００１４】
この構成によれば、フィルムの両側を均等な量だけ延伸するのでフィルム全幅にわたって均一な延伸が可能である。
【００１５】
また、本発明のフィルム延伸機は、前記アームに設けた位置決め部材をガイドで案内することで前記アームを突出／後退させてもよい。
【００１６】
この構成によれば、前記ガイド位置を調整するだけで、容易にフィルムの延伸パターンを設定できる。
【００１７】
また、本発明のフィルム延伸機は、前記チェインを駆動するスプロケットが前記フィルムの面に垂直であってもよい。
【００１８】
この構成によれば、前記チェインを駆動するためのスプロケットおよび前記チェインを折り返すときに必要な回転半径が小さくてすむので、フィルム延伸機が大型化しない。
【発明の効果】
【００１９】
以上のように、本発明のフィルム延伸機は、一定速度で搬送しながら一定の方向に延伸するのでフィルムを均一に延伸できる。
【発明を実施するための最良の形態】
【００２０】
図１に本発明の基本構成と動作原理とを説明するために簡略化したフィルム延伸機１を示す。フィルム延伸機１は、平行する２本のチェイン２と、チェイン２にそれぞれ一定間隔で設けた多数のベース３と、それぞれのベース３に一定方向に摺動可能に取り付けたアーム４と、それぞれのアーム４の先端に設けたクリップ５とからなっている。クリップ５は、フィルム６の両側縁部を把持できるようになっており、チェイン２はフィルム６の面に垂直なスプロケット７に架け渡されて周回するようになっている。
【００２１】
さらにフィルム６の搬送と延伸の様子を示す図２を参照しながら、フィルム延伸機１の動作を説明する。フィルム延伸機１は、チェイン２のベース３からアーム４を突出させてクリップ５により幅Ｗ１のフィルム６の両側縁部を把持し、チェイン２が進行することでフィルム６を搬送する。この間に、クリップ５でフィルム６を把持したままアーム４を後退させることでフィルム６をアーム４の摺動するＥ方向に延伸して幅Ｗ１から幅Ｗ２に拡幅することができる。図２では、拡幅の際に、アーム４の摺動方向に対向するアーム４どうしの後退量が等しくなっている。そして、チェイン２がスプロケット７に沿って折り返されるとき、アーム４は、フィルム６に接触しないようにさらに後退する。
【００２２】
以上のようなフィルム延伸機１によりフィルム６を延伸するときの特徴を説明する。
【００２３】
フィルム延伸機１では、フィルム６の搬送方向が直線であり、フィルム６の搬送速度は、チェイン２の移動速度と同じ一定の速度である。また、フィルム６は、搬送方向と常に一定の角度のＥ方向にだけ延伸される。このため、たとえ延伸量が僅かであっても、均一に、かつ、一定の方向にフィルム６を延伸できる。また、アーム４の後退量（フィルム６の延伸量）がＥ方向の両側で等しくなっているので、フィルム６の片側だけが延伸されることがなく、フィルム６の全幅にわたって均一に延伸できる。
【００２４】
次に、以上の動作を実現する実施形態であるフィルム延伸機１の構造を図３から５に示す。チェイン２には１コマおきに取付座８が設けられ、それぞれベース３を固定している。ベース３にはそれぞれチェイン２に対して４５°傾斜した２つの摺動軸９が設けられ、それぞれの摺動軸９に摺動可能に係合する摺動軸受１０にアーム４が取り付けられている。アーム４の上部には、ベアリングからなる位置決め部材１１が設けられており、ガイド１２で位置決め部材１１を案内することでアーム４を突出／後退させるようになっている。アーム４の先端に設けたクリップ５は、公知のフィルム把持機構であり、ガイド１３で開閉（フィルム６の把持または解放）される。チェイン２の取付座８を有するコマにはベアリング１４ａが設けられ、ベース３には、端部にベアリング１４ｂと、下面にベアリング１４ｃとが設けられている。これらのベアリング１４ａ，１４ｂ，１４ｃは、フィルム延伸機１のフレーム１５に設けた走行ガイド１６ａ，１６ｂ，１６ｃにそれぞれ規制されることで、ベース３を真っ直ぐに、かつ、所定の向きを保って走行させるようになっている。
【００２５】
また、図６にフィルム延伸機１のチェイン２の駆動系を示す。フィルム６の搬送方向後方の駆動スプロケット７ａは、伸縮可能な駆動軸１７で連結されモータ１８で駆動される。駆動スプロケット７ａおよび従動スプロケット７ｂとチェイン２およびベース３を案内する走行ガイド１６ａ，１６ｂ，１６ｃが設けられたフレーム１５は、それぞれ調整ねじ１９で両側の間隔を変更することができる。チェイン２はリンクにガタがあるものを使用しているので、図示するように、２本のチェイン２の間の距離を部分的に変えることも可能になっている。
【００２６】
以上の構成によるフィルム延伸機１は、走行ガイド１６に沿ってベース３が一定の速度で走行しながらアーム４の先端のクリップ５でフィルム６の両側縁部を把持し、ガイド１２によって、位置決め部材１１を案内することでアーム４を所望の距離だけ後退させてフィルム６を延伸することができる。さらに、図６に示すように、２本のチェイン２の間隔が広がるように調整すれば、フィルム６に搬送方向と直角な成分の延伸が加わり、フィルム６の延伸方向が搬送方向に対してアーム４の摺動方向よりも大きな角度になる。また、反対にチェイン２の間隔が狭まるように調整すれば、フィルム６の延伸方向が搬送方向に対して小さな角度になる。このように、フィルム延伸機１では延伸方向の微調整が可能である。また、特に、駆動スプロケット７の間隔を大きくすることで、アーム４を摺動可能距離よりも大きく後退させることができるので、延伸したフィルム幅Ｗ２よりも両側のクリップ５の間隔を広げてフィルム６を破損することなくスプロケット７でチェイン２を折り返すことが可能である。
【００２７】
以上のように、本発明のフィルム延伸機１は、一定の速度でフィルム６を搬送しながら、常に一定のＥ方向に延伸することができる。このため、フィルム延伸機１は、フィルム６を均一に、かつ、正確に所定の方向に延伸できる。
【図面の簡単な説明】
【００２８】
【図１】本発明のフィルム延伸機の原理と構成を示す簡略斜視図。
【図２】図１のフィルム延伸機の部分平面図。
【図３】本発明の実施形態のフィルム延伸機の詳細な構成を示す部分斜視図。
【図４】図３のフィルム延伸機の部分平面図。
【図５】図４のフィルム延伸機のＡ−Ａ線断面図。
【図６】図３のフィルム延伸機のチェインの駆動系を示す平面図。
【図７】従来のフィルム延伸機の平面図。
【符号の説明】
【００２９】
１  フィルム延伸機
２  チェイン
３  ベース
４  アーム
５  クリップ
６  フィルム
７  スプロケット
１１  位置決め部材
１２  ガイド
【図１】
2005349698.tif 000003
【図２】
2005349698.tif 000004
【図３】
2005349698.tif 000005
【図４】
2005349698.tif 000006
【図５】
2005349698.tif 000007
【図６】
2005349698.tif 000008
【図７】
2005349698.tif 000009